(57)【要約】【課題】可動施術部が毛髪に阻害されるのを抑えて、頭皮に到達させて頭皮を洗浄することができる。頭皮ケア装置を提供する。【解決手段】駆動部により所定の駆動方向に駆動されて頭皮上を摺動する可動施術部６７を有する。前記可動施術部６７は、駆動方向である左右方向において前記可動施術部６７の駆動距離以上の離間されるように離間距離Ｌ１（間隔）を有して複数設けられる。【選択図】図１４
2014108158.tif 000002
【特許請求の範囲】
【請求項１】
駆動部により所定の駆動方向に駆動されて頭皮上を摺動する可動施術部を有し、
前記可動施術部は、前記駆動方向に前記可動施術部の駆動距離以上の間隔を有して複数設けられることを特徴とする頭皮ケア装置。
【請求項２】
請求項１に記載の頭皮ケア装置において、
複数の前記可動施術部は、前記駆動方向と交差する方向に延出して頭皮と接触可能な施術子を備え、
前記施術子は先端が先細形状となるように構成されることを特徴とする頭皮ケア装置。
【請求項３】
請求項１又は２に記載の頭皮ケア装置において、
複数の前記可動施術部は、前記駆動方向と交差する方向に延出して頭皮と接触可能な施術子を備え、前記施術子を前記駆動方向に複数配置して構成されることを特徴とする頭皮ケア装置。
【請求項４】
請求項２又は３に記載の頭皮ケア装置において、
前記可動施術部は、前記施術子を前記駆動方向と直交する方向に複数備えることを特徴とする頭皮ケア装置。
【請求項５】
請求項１〜４のいずれか一項に記載の頭皮ケア装置において、
前記可動施術部を有する施術ブロックを複数備え、
前記複数の施術ブロックは、前記駆動部により駆動される第１施術ブロックと、前記駆動部により該第１施術ブロックとは逆方向に駆動される第２施術ブロックとを備えることを特徴とする頭皮ケア装置。
【請求項６】
請求項１〜５のいずれか一項に記載の頭皮ケア装置において、
前記可動施術部の周囲に前記可動施術部よりも剛性が高い突起を複数備えることを特徴とする頭皮ケア装置。
【発明の詳細な説明】
【技術分野】
【０００１】
本発明は、施術子を頭皮に接触させて洗浄する頭皮ケア装置に関するものである。
【背景技術】
【０００２】
従来、この種の頭皮ケア装置は、可動施術部（毛髪用ブラシ）を往復駆動部により往復動させて、前記毛髪用ブラシを頭皮上で摺動させることで頭皮や毛髪を洗浄するものが知られている（例えば、特許文献１参照）。
【先行技術文献】
【特許文献】
【０００３】
【特許文献１】特開平７−１１６０２６号公報
【発明の概要】
【発明が解決しようとする課題】
【０００４】
ところで、上記のような頭皮ケア装置では、可動施術部を頭皮に接触させて頭皮上を滑らせると、可動施術部に毛髪が引っ掛かったり、毛髪とかき分けることができずに可動施術部が毛髪上を滑ってしまい可動施術部が頭皮に到達できなかったりする虞がある。このため、頭皮を効率よく洗浄することができない虞がある。
【０００５】
本発明は、上記課題を解決するためになされたものであって、可動施術部が毛髪に阻害されるのを抑えて、頭皮に到達させて頭皮を洗浄することができる頭皮ケア装置を提供することにある。
【課題を解決するための手段】
【０００６】
前記従来の課題を解決するために、本発明の頭皮ケア装置は、駆動部により所定の駆動方向に駆動されて頭皮上を摺動する可動施術部を有し、前記可動施術部は、前記駆動方向に前記可動施術部の駆動距離以上の間隔を有して複数設けられるとしたものである。
【０００７】
これにより、可動施術部の間隔が十分に確保されて、可動施術部間に毛髪を導入することができ、可動施術部が毛髪に阻害されることを抑えて可動施術部を頭皮に到達し易くできる。このため、可動施術部により、より確実に頭皮を洗浄することができる。
【発明の効果】
【０００８】
本発明の頭皮ケア装置は、可動施術部が毛髪に阻害されるのを抑えて、頭皮に到達させて頭皮を洗浄することができる。
【図面の簡単な説明】
【０００９】
【図１】頭皮ケア装置の斜視図である。
【図２】頭皮ケア装置の正面図である。
【図３】頭皮ケア装置の平面図である。
【図４】頭皮ケア装置の４−４断面図である。
【図５】頭皮ケア装置の５−５断面図である。
【図６】駆動部の斜視図である。
【図７】駆動部の側面図である。
【図８】駆動部の８−８断面図である。
【図９】第１及び第２駆動子とバランス調整物を示す分解斜視図である。
【図１０】駆動部の規制板とハウジングの固定部との固定方法について説明するための頭皮ケア装置の斜視図である。
【図１１】施術ヘッド部を取り外した状態の頭皮ケア装置の斜視図である。
【図１２】可動ヘッドの斜視図である。
【図１３】可動ヘッドの側面図である。
【図１４】可動ヘッドの平面図である。
【図１５】図１４とは反対側から見た可動ヘッドの平面図である。
【図１６】固定ヘッドの斜視図である。
【図１７】固定ヘッドの平面図である。
【図１８】固定ヘッドの１８−１８断面図である。
【図１９】施術子が頭皮に与える作用について説明するための説明図であり、（ａ）は施術子が頭皮を摺動する際の作用を説明するための説明図であり、（ｂ）は施術子を強く押し付けた場合の施術子の作用を説明するための説明図であり、（ｃ）は施術子を強く押し付けた場合において圧力抑制部による接触圧力の抑制作用を説明するための説明図である。
【図２０】別例における固定ヘッドの斜視図である。
【発明を実施するための形態】
【００１０】
第１の発明は、駆動部により所定の駆動方向に駆動されて頭皮上を摺動する可動施術部を有し、前記可動施術部は、前記駆動方向に前記可動施術部の駆動距離以上の間隔を有して複数設けられるとしたものである。
【００１１】
これにより、可動施術部の間隔が十分に確保されて、可動施術部間に毛髪を導入することができ、可動施術部が毛髪に阻害されることを抑えて可動施術部を頭皮に到達し易くできる。このため、可動施術部により、より確実に頭皮を洗浄することができる。
【００１２】
第２の発明は、特に、第１の発明の頭皮ケア装置の複数の前記可動施術部は、前記駆動方向と交差する方向に延出して頭皮と接触可能な施術子を備え、前記施術子は先端が先細形状となるように構成されるとしたものである。
【００１３】
これにより、先細形状の施術子により毛髪を掻き分けることができ、頭皮に可動施術部（施術子）をより効率的に到達させることができるため、頭皮を洗浄する効率を高めることができる。
【００１４】
第３の発明は、特に、第１又は第２の発明の頭皮ケア装置の複数の前記可動施術部は、前記駆動方向と交差する方向に延出して頭皮と接触可能な施術子を備え、施術子を駆動方向に可動施術部の駆動距離未満の間隔を有して複数配置して構成されるとしたものである。
【００１５】
これにより、可動施術部に複数の施術子を備えることで、可動施術部に例えば１つの施術子しか備えない構成と比較して頭皮に接触して洗浄を行う面積を広げることとなり、頭皮の洗浄効果をより高めることができる。
【００１６】
第４の発明は、特に、第２又は第３の発明の頭皮ケア装置の前記施術子を、前記可動施術部に、前記駆動方向と直交する方向に複数備えたとしたものである。
これにより、可動施術部の駆動方向と直交する方向にも複数の施術子を備えることで、施術子と頭皮との接触面積をより大きくすることができるため、可動施術部が洗浄を行う頭皮の面積を広げて、頭皮を洗浄する効率をより高めることができる。
【００１７】
第５の発明は、特に、第１〜第４のいずれか１つの発明の頭皮ケア装置を、可動施術部を有する施術ブロックを複数備え、前記複数の施術ブロックは、前記駆動部により駆動される第１施術ブロックと、前記駆動部により該第１施術ブロックとは逆方向に駆動される第２施術ブロックとを備えるとしたものである。
【００１８】
これにより、第１施術ブロックと、第２施術ブロックとが互いに逆方向に駆動されるため、第１施術ブロックと第２施術ブロックとの境界部分において、頭皮上を摺動する速度が第１施術ブロック単体の速度又は第２施術ブロック単体の速度と比較して相対的に速くなる。このため、頭皮を摺動する速度が速くなり、頭皮の擦り洗浄効果をより高めることができる。
【００１９】
第６の発明は、特に、第１〜５のいずれか１つの発明の頭皮ケア装置を、前記可動施術部の周囲に前記可動施術部よりも剛性が高い突起を複数備えるとしたものである。
これにより、可動施術部を頭皮上で滑らせる際に、可動施術部の周囲の前記突起が先に頭髪と当接してこの突起により毛髪の配列を整えることができ、その結果可動施術部が頭皮に到達しやすくなることとなり、より頭皮を洗浄する効率を高めることができる。
【００２０】
以下、本発明の実施の形態について、図面を参照しながら説明する。なお、以下では、装置本体の長手方向並びに可動施術部の駆動方向を左右方向Ｘ、施術ヘッド部を装置本体に取り付ける方向並びに可動施術部を頭皮に接触させる際の接触方向を上下方向Ｙ、各方向Ｘ，Ｙと直交する方向を前後方向Ｚとして説明する。なお、この実施の形態によって本発明が限定されるものではない。
【００２１】
（実施の形態１）
図１に示すように、頭皮ケア装置２０は、一方向（左右方向Ｘ）に長い装置本体２１と、この装置本体２１の一端寄りに設けられる施術ヘッド部６１とを備える。
【００２２】
図５に示すように装置本体２１は、複数の部材を組み付けてなる中空の本体ハウジング２２を備え、その外表面に外部に露出されて使用者が操作可能な操作スイッチ２３が設けられる。なお、本実施の形態の本体ハウジング２２は、外部に一部でも露出される部材を複数組み付けた構成とする。
【００２３】
操作スイッチ２３は、本体ハウジング２２内部に収容されるスイッチ回路２３ａと電気的に接続される。
図５及び図６に示すように、前記本体ハウジング２２はその内部に、駆動部３１を備える。この駆動部３１は、駆動源としてのモータ３２と、このモータ３２の回転駆動力を往復運動に変換する変換機構３３と、この変換機構３３により往復運動する第１及び第２駆動子４０ａ，４０ｂとを備える。
【００２４】
図４〜図６に示すように、モータ３２は、前記本体ハウジング２２内に収容される二次電池ＲＢからの電力供給により駆動される。
この二次電池ＲＢは、前記操作スイッチ２３と電気的に接続されるスイッチ回路２３ａがオン状態とされると、このスイッチ回路２３ａから出力される駆動信号に基づいて前記モータ３２を通電（駆動）させるようになっている。このため、スイッチ回路２３ａがオフ状態の場合には前記モータ３２が非通電状態（非駆動状態）となる。
【００２５】
図６〜図８に示すように、モータ３２は、支持台３６に垂下された状態で取り付けられる。支持台３６は、底壁部３６ａと、底壁部３６ａの左右端から一体に起立した固定側壁部３６ｂとを備える。固定側壁部３６ｂには、ねじ孔３６ｃ（図５参照）が形成される。このねじ孔３６ｃにねじＳ１を螺合することで、第１および第２駆動子４０ａ，４０ｂとともに、支持台３６が装置本体２１の本体ハウジング２２に固定される。
【００２６】
図５及び図８に示すように、変換機構３３は、モータ３２の回転軸３２ａと一体回転可能に取り付けられる基台３３ａと、この基台３３ａに前記回転軸３２ａから偏心して設けられる第１偏心軸３３ｂとを備える。
【００２７】
前記第１偏心軸３３ｂは、第１偏心軸３３ｂと第１駆動子４０ａとを連結する第１連結アーム３３ｃと、第１偏心軸３３ｂの前記基台３３ａとは軸方向反対側の端部に第１偏心軸３３ｂに取付けられる基台３３ｄとを備えている。
【００２８】
さらに、基台３３ｄにモータ３２の回転軸３２ａから偏心して設けられた第２偏心軸３３ｅと、この第２偏心軸３３ｅに取付けられて第２偏心軸３３ｅと第２駆動子４０ｂとを連結する第２連結アーム３３ｆとを備えている。本実施の形態では、第１偏心軸３３ｂと第２偏心軸３３ｅとが、基台３３ｄに、モータ３２の回転軸３２ａ回りに１８０°の位相差で設けられている。
【００２９】
このため、変換機構３３は、モータ３２の回転運動を第１駆動子４０ａおよび第２駆動子４０ｂの逆位相の往復運動に変換させている。なお、前述の変換機構３３は、特開２０１２ー１６４９１号公報の変換機構と略同一の機構である。
【００３０】
図８及び図９に示すように、第１及び第２駆動子４０ａ，４０ｂは、施術ヘッド部６１の可動ヘッド６５が着脱可能に設けられる施術部装着部４１，４２をそれぞれ備える。
また、第１及び第２駆動子４０ａ，４０ｂは、図９に示すように、各駆動子４０ａ，４０ｂの左右方向両端に配置される固定ブロック４３，４４と、各固定ブロック４３，４４の間に配置され施術部装着部４１，４２を支持する支持フレーム４５，４６と、を弾性変形可能な一対の弾性脚部４７，４８で連結することにより形成される。
【００３１】
図９に示すように固定ブロック４３，４４には、それぞれねじ孔４３ａ，４４ａが設けられるとともに、固定ブロック４３，４４同士を係合させる係合部４３ｂ，４４ｂが設けられる。
【００３２】
一方の固定ブロック４４を他方の固定ブロック４３の上方に載置して一方の係合部４４ｂを他方の係合部４３ｂに係合させると、前記ねじ孔４３ａとねじ孔４４ａとが重なるような（連通）状態となる。この状態で、前記ねじ孔４３ａ，４４ａに前記ねじＳ１（図５参照）を挿通することで、第１及び第２駆動子４０ａ，４０ｂが支持台３６（図５参照）を介して本体ハウジング２２に固定される。
【００３３】
図９に示すように支持フレーム４５，４６は、略矩形板状をなすように構成される。支持フレーム４５，４６は、その上部に施術部装着部４１，４２がそれぞれ突設されている。
【００３４】
なお、支持フレーム４５，４６の内の一方の支持フレーム４５の幅方向（左右方向Ｘ）両端からは、支持フレーム４５の面方向と直交する方向に延出する側壁部４５ａが設けられる。そして側壁部４５ａは、その先端から前記支持フレーム４５の面方向と平行な方向で幅方向外側（左右方向Ｘ）に延出する延出壁部４５ｂを備えている。
【００３５】
図９に示すように、弾性脚部４７は、前記固定ブロック４３の内側上端部と連接される外側壁部４７ａと、延出壁部４５ｂの外側端部に連結される内側壁部４７ｂと、前記外側壁部４７ａ及び内側壁部４７ｂを連接する連接部４７ｃとを備える。
【００３６】
外側壁部４７ａと内側壁部４７ｂは前記支持フレーム４５の面方向と略直交する方向（上下方向Ｙ）に延出し、外側壁部４７ａ及び内側壁部４７ｂの延出方向が略平行となるように形成される。連接部４７ｃは、略Ｕ字状に湾曲されて前記外側壁部４７ａ及び内側壁部４７ｂを連接する。
【００３７】
図９に示すように、弾性脚部４８は、前記固定ブロック４４の内側上端部と連結される外側壁部４８ａと、支持フレーム４６の外側端部に連結される内側壁部４８ｂと、前記外側壁部４８ａ及び内側壁部４８ｂを連接する連接部４８ｃとを備える。
【００３８】
外側壁部４８ａと内側壁部４８ｂは前記支持フレーム４６の面方向と略直交する方向（上下方向Ｙ）に延出し、外側壁部４８ａ及び内側壁部４８ｂの延出方向が略平行となるように形成される。連接部４８ｃは、略Ｕ字状に湾曲されて前記外側壁部４８ａ及び内側壁部４８ｂを連接する。
【００３９】
図９に示すように、本実施の形態の弾性脚部４７，４８は、前記固定ブロック４３，４４側の外側壁部４７ａ，４８ａの厚さが、前記内側壁部４７ｂ，４８ｂの厚さよりも薄くなるように構成される。
【００４０】
このため、弾性脚部４７，４８は、支持フレーム４５，４６を幅方向（左右方向Ｘ）に揺動させさせやすくできる。また、内側壁部４７ｂ，４８ｂの厚さが前記外側壁部４７ａ，４８ａよりも厚いことで、前記施術ヘッド部６１側から受ける力による第１及び第２駆動子４０ａ，４０ｂの変形を抑えることができる。
【００４１】
図９に示すように、第１及び第２駆動子４０ａ，４０ｂは、前記駆動方向と直交方向（前後方向Ｚ）に延びる一対のアーム部４９，５０をそれぞれ備える。
具体的には、第１駆動子４０ａのアーム部４９は、支持フレーム４５の延出壁部４５ｂから対向する第２駆動子４０ｂ側に向けて２本（一対）のアーム部材が延出する構成とされる。第２駆動子４０ｂのアーム部５０は、支持フレーム４６から対向する第１駆動子４０ａ側に向けて２本（一対）のアーム部材が延出する構成とされる。
【００４２】
ここで、アーム部４９と、アーム部５０とは、上下方向Ｙの位置が異なっている。すなわち、本実施形態では、アーム部４９とアーム部５０とを上下方向Ｙの高さが異なるように前後方向Ｚに沿って延設させている。このように、アーム部４９とアーム部５０との上下方向Ｙの高さが異なるように配置することで、第１および第２駆動子４０ａ，４０ｂの小型化を図っている。
【００４３】
図９に示すようにアーム部４９，５０は、その先端同士が連結部４９ａ，５０ａにより連結される。この連結部４９ａ，５０ａには前記アーム部４９，５０が延出する方向に突出する規制突起４９ｂ，５０ｂが設けられている。
【００４４】
この規制突起４９ｂ，５０ｂは、前記アーム部４９，５０と対向する規制板５１，５２に形成される規制孔部５１ａ，５２ａに挿通される。規制孔部５１ａ，５２ａは、前記駆動方向（左右方向Ｘ）に沿った長孔形状をなしている。
【００４５】
そして、規制板５１，５２は、図１０に示すように装置本体２１のハウジング２２に形成される固定部２２ａにより固定される。
より具体的には、固定部２２ａは、スリット２２ｂを有し、このスリット２２ｂに前記規制板５１，５２から幅方向（左右方向Ｘ）に延出する突起５１ｂ，５２ｂが嵌入されて前後方向Ｚへの移動が規制される。本実施の形態では規制突起４９ｂ，５０ｂと規制板５１，５２はポリアセタール樹脂にて成形しており、特に規制板５１，５２は摺動グレードを使用している。
【００４６】
図９に示すように、第１駆動子４０ａ及び第２駆動子４０ｂにはそれぞれが並設する方向である前後方向Ｚでの回転モーメントを抑制し、振動を低減するためのバランス調整物５３、５４が、前記連結部４９ａ，５０ａにねじＳ２，Ｓ３を用いて固定されている。
【００４７】
図１１に示すように一対の施術部装着部４１，４２の間には、駆動方向（左右方向Ｘ）と平行に２本のガイドレール５５が設けられる。ガイドレール５５は強度、腐食性を考慮してステンレス鋼にて形成している。
【００４８】
図１〜図５に示すように、施術ヘッド部６１は、１８０°位相がずれて往復動される２つの可動ヘッド６５と、固定ヘッド７０とを備える。
図１２〜図１５に示すように可動ヘッド６５は、基台６６と、この基台６６のそれぞれに複数設けられる可動施術部６７とを備える。基台６６は、その下面６６ａに施術部装着部４１の嵌合ピン４１ａ，４２ａと嵌合する嵌合孔部６６ｂと、前記ガイドレール５５に対して可動ヘッド６５を装着するための装着凹部６６ｃとを備えている。
【００４９】
装着凹部６６ｃは、可動ヘッド６５が前記ガイドレール５５の長手方向を軸に回転することを防止するために駆動子４０ａ，４０ｂが並設される方向（前後方向Ｚ）においてガイドレール５５を挟むように形成される。このとき、基台６６は、図４に示すようにその下面６６ａと前記ガイドレール５５と上下方向Ｙにおいて隙間を有して配設されている。
【００５０】
図１４に示すように、基台６６は、前記下面６６ａとは反対側の上面６６ｄには可動施術部６７の施術子６７ｅを基台６６に対して固定するための植毛穴６６ｅが設けられる。
図１２〜図１５に示すように可動施術部６７は、１つの基台６６に対して４つの第１〜第４可動施術部６７ａ〜６７ｄを備えて構成される。第１〜第４可動施術部６７ａ〜６７ｄは、それぞれ複数の施術子６７ｅを有する。
【００５１】
本実施の形態の第１〜第４可動施術部６７ａ〜６７ｄは、それぞれ駆動方向（左右方向Ｘ）において２列、駆動方向（左右方向Ｘ）及び上下方向Ｙと直交（交差）する方向である前後方向Ｚにおいて４列、即ち計８個の施術子６７ｅをそれぞれ備える。
【００５２】
このため、施術子６７ｅは、１つの基台６６に対して計３２個設けられることとなる。また、或る可動施術部６７ａ〜６７ｄの施術子６７ｅと、この施術部６７ａ〜６７ｄの施術子６７ｅと隣接する他の可動施術部６７ａ〜６７ｄの施術子６７ｅとの前記駆動方向における離間距離Ｌ１が、各可動施術部６７ａ〜６７ｄの駆動距離（＝第１及び第２駆動子４０ａ，４０ｂの駆動距離）よりも広い距離を有するように構成される。
【００５３】
より具体的には、各可動施術部６７ａ〜６７ｄの駆動距離は約２．５ｍｍであり、前記離間距離Ｌ１は約５．５ｍｍである。
図１４に示すように可動施術部６７ａ〜６７ｄの施術子６７ｅは、ポリアミド系繊維の細線（直径約０．１８ｍｍ）を約８０本束ねて構成されている。
【００５４】
具体的には、図１４に示すように基台６６の上面６６ｄに設けられた前記植毛穴６６ｅに前記細線を４０本束ねた状態でその長手方向中間部を折り曲げるようにして前記植毛穴６６ｅに挿入されて８０本の線束となる。そして、前記折り曲げ部に金属製の平板（図示略）を圧入することで前記施術子６７ｅが前記基台６６に固定される。
【００５５】
このとき、前記施術子６７ｅは、その長手方向が基台６６の上面６６ｄの面方向と略直交する方向となるように固定される。
図１３に示すように、第１及び第４可動施術部６７ａ，６７ｄは、基台６６の長手方向（左右方向Ｘ）において外側に位置する可動施術部６７である。第１及び第４可動施術部６７ａ，６７ｄの施術子６７ｅは、施術子６７ｅの先端から前記基台６６上面６６ｄまでの長さＨ１ａが略１２ｍｍとなるように構成される。
【００５６】
図１３に示すように、第２及び第３可動施術部６７ｂ、６７ｃは、基台６６の長手方向（左右方向）において内側に位置する可動施術部６７である。第２及び第３可動施術部６７ｂ、６７ｃの施術子６７ｅは、施術子６７ｅの先端から前記基台６６上面６６ｄまでの長さＨ１ｂが略１１ｍｍとなるように構成される。
【００５７】
図１３に示すように施術子６７ｅ先端は樹脂材料を束ねた細線により構成されるため、複数の細線の先端が束なり、先端ほど細くなるような傾斜面６７ｆ（仮想面）を有する構成とされる。また、前記駆動方向において隣接される各可動施術部６７ａ〜６７ｄの施術子６７ｅは、駆動方向（左右方向Ｘ）において近接する側が高く、離間する側が低くなるように前記傾斜面６７ｆを有する。
【００５８】
施術ヘッド部６１の固定ヘッド７０は、枠部８１と、この枠部８１と一体成形（二色成形）される圧力抑制部８２とを備える。
枠部８１は、前記施術ヘッド部６１の可動ヘッド６５（可動施術部８２）の周囲に配設されるものであり、装置本体２１に対して着脱可能に構成される。枠部８１は、楕円環状をなし、枠部８１の内周面のうちの長手方向（左右方向Ｘ）において、前記装置本体２１の係合部２２ｃと係合する第１係合部８１ａと、装置本体２１に設けられる解除ボタン１００の係合部１００ａと係合する第２係合部８１ｂとを備える。
【００５９】
ここで、解除ボタン１００は、付勢ばね１０１により左右方向Ｘにおいて装置本体２１から離間する方向に付勢されている。つまり、解除ボタン１００が離間する方向に付勢されることで、解除ボタン１００の係合部１００ａと第２係合部８１ｂとが係合されるとともに、装置本体２１の係合部２２ｃと第１係合部８１ａとが係合され、固定ヘッド７０が装置本体２１に取り付けられる。
【００６０】
また、使用者により前記付勢ばね１０１に抗する方向に解除ボタン１００の係合部１００ａと第２係合部８１ｂとの係合状態が解除され、固定ヘッド７０を装置本体２１から取り外すことが可能となっている。
【００６１】
図１６及び図１７に示すように圧力抑制部８２は、枠部８１の上面８１ｃにおいて、圧力抑制部８２は外周に沿うように離間して複数（本実施形態では１０個）配設される。
図１８に示すように、圧力抑制部８２は、略円錐台形状をなし、前記枠部８１の上面８１ｃからこの上面８１ｃの面方向と直交する方向（上下方向Ｙ）に突出するように設けられる。
【００６２】
圧力抑制部８２は、延出する方向と直交する方向に切った断面での直径が前記施術子６７ｅの直径よりも大きいように構成される。圧力抑制部８２は、エラストマーで構成される。
【００６３】
このため、圧力抑制部８２は、可動施術部６７の施術子６７ｅより、高い剛性を有することとなる。また、圧力抑制部８２は図４に示すように、圧力抑制部８２の長軸方向の頂点から枠部８１上面８１ｃまでの長さＨ２を８．５ｍｍとなるように構成される。このように、圧力抑制部８２が施術子６７ｅに対して高さが低く構成されていることが好ましい。
【００６４】
次に、本実施の形態の頭皮ケア装置２０の一動作例（作用）を説明する。
まず、使用者により装置本体２１に設けられる操作スイッチ２３が押されることで、モータ３２が回転駆動し、その駆動力が駆動部３１の変換機構３３と第１及び第２駆動子４０ａ、４０ｂにより往復直線運動に変換される。そして、第１及び第２駆動子４０ａ，４０ｂの施術部装着部４１，４２に取り付けられた可動施術部６７が往復動される。
【００６５】
そして、使用者が頭皮に可動施術部６７を有する可動ヘッド６５を押し付けると、図１９（ａ）に示すように往復動される可動施術部６７の施術子６７ｅが頭皮ｔｈ上を摺動することで頭皮ｔｈ表面の汚れや皮脂が擦り取られ頭皮ｔｈを洗浄することができる。なお、図１９（ａ）〜（ｃ）では、施術ヘッドを簡略して示しているため、他の図面とは詳細な形状が異なる。
【００６６】
このとき、図１９（ｂ）に示すように、従来構成のように単一種類の施術子６７ｅだけでは、使用者が施術部を頭皮に強く押し付けて可動施術部６７の施術子６７ｅが頭皮ｔｈ上を摺動する際に生じる摩擦力が大きくなると、施術子６７ｅが撓んでしまう虞がある。これにより、施術子６７ｅ先端まで往復動作の駆動力が伝達されず、施術子６７ｅが頭皮ｔｈ上を摺動することができない虞がある。
【００６７】
そこで、本実施の形態の頭皮ケア装置２０では、図１９（ｃ）に示すように、可動施術部６７の施術子６７ｅに対して高い剛性とされ、且つ、前記可動施術部６７の施術子６７ｅよりも高さが低い圧力抑制部８２が設けられる。
【００６８】
これにより、摩擦力により施術子の先端の摺動が停止してしまう前に圧力抑制部８２を頭皮に接触させることで可動施術部６７と圧力抑制部８２で頭皮に接触する圧力が分散される。このため、可動施術部６７の頭皮と接触する圧力が緩和され、施術子６７ｅの先端が頭皮を摺動する際に生じる摩擦力が緩和されることにより、可動施術部６７の施術子６７ｅが頭皮を摺動し、洗浄される。
【００６９】
このとき、例えば使用者により前後方向Ｚに頭皮ケア装置２０を動かすと、可動施術部６７を頭部（頭皮）に押し付けた状態で前後方向Ｚに動かすことができる。このとき、毛髪が可動施術部６７の周囲に多く存在することから可動施術部６７と毛髪が接触し、さらに可動施術部６７を往復動されると可動施術部６７と毛髪との間に抵抗（摩擦）が生じるため、頭皮を十分に沿わせることが困難となり、頭皮の洗浄効率が低下する。
【００７０】
そこで、本実施形態では、前記駆動方向（左右方向Ｘ）における可動施術部６７ａ〜６７ｄ（施術子６７ｅ）間の離間距離Ｌ１が、各可動施術部６７ａ〜６７ｄの駆動距離よりも広い距離を有するように構成される。
【００７１】
すなわち、前記離間距離Ｌ１と可動施術部６７ａ〜６７ｄの駆動距離との差分の距離だけ駆動方向である左右方向Ｘに空間を有することとなる。
このため、可動施術部６７を頭部に押し付けた状態で前後方向Ｚに頭皮ケア装置２０を動かすと、可動施術部６７と接触する毛髪は、前記空間に移動し、可動施術部６７（施術子６７ｅ）と毛髪の間に生じる抵抗を防ぐことができる。つまり、頭皮に可動施術部６７を当接させて往復動させた状態で前後方向Ｚに動かすことが容易となる。
【００７２】
図１３に示すように可動施術部６７の施術子６７ｅは、その先端が先細となるように傾斜面６７ｆを有する。このように、可動施術部６７の施術子６７ｅの先端に接触する毛髪に対して、傾斜面６７ｆとなっていることで毛髪が傾斜面６７ｆに沿って可動施術部６７から離間する方向（左右方向Ｘ）に押し出す作用が得られる。
【００７３】
さらに可動施術部６７は、施術子６７ｅを駆動方向（左右方向Ｘ）に複数（２つ）有するため、施術子６７ｅによる頭皮との接触面積が大きくなる。
また、可動施術部６７は、施術子６７ｅを駆動方向（左右方向Ｘ）及び上下方向Ｙと直交（交差）する方向である前後方向Ｚにおいて複数（４つ）備えるため、施術子６７ｅによる頭皮との接触面積がさらに大きくなる。
【００７４】
本実施の形態では、施術部装着部４１，４２に取付けられた可動ヘッド６５が一対並設されており、一対の可動ヘッド６５が互いに逆方向に往復直線運動をすることにより、頭皮ｔｈ上における可動ヘッド６５の相対速度が略２倍となる。
【００７５】
さらに、可動施術部６７の周囲に圧力抑制部８２のような剛性の高い突起が複数配置される。これにより、毛髪を導入する方向である前後方向Ｚに可動施術部６７を滑らせる際に、可動施術部６７の周囲の前記圧力抑制部８２が先に頭髪と当接（接触）することとなり、圧力抑制部８２により毛髪の配列が整えられる。
【００７６】
本実施の形態の頭皮ケア装置は、以下の効果を奏する。
（１）可動施術部６７間の離間距離Ｌ１が十分に確保されて、可動施術部６７間に毛髪を導入することができ、可動施術部６７が毛髪に阻害されることを抑えて可動施術部６７（施術子６７ｅ）を頭皮に到達し易くできる。このため、より確実に頭皮を洗浄することができる。
【００７７】
（２）傾斜面６７ｆを有した先細形状の施術子６７ｅにより毛髪を掻き分けることができ、頭皮に可動施術部６７（施術子６７ｅ）をより効率的に到達させることができるため、頭皮を洗浄する効率を高めることができる。
【００７８】
（３）可動施術部６７の駆動方向（左右方向Ｘ）において複数の施術子６７ｅを備えることで、１つの可動施術部６７に例えば１つの施術子６７ｅしか備えない構成と比較して頭皮に接触して洗浄を行う面積を広げることとなり、頭皮の洗浄効果をより高めることができる。
【００７９】
（４）可動施術部６７の駆動方向（左右方向Ｘ）、及び上下方向Ｙと直交（交差）する方向である前後方向Ｚにおいて複数の施術子６７ｅを備える。これにより、例えば、１つの可動施術部６７の前後方向Ｚに例えば１つの施術子６７ｅしか備えない構成と比較して、頭皮に接触して洗浄を行う面積をさらに広げることとなり、頭皮の洗浄効果をより高めることができる。
【００８０】
（５）第１施術ブロック及び第２施術ブロックとしての一対の可動ヘッド６５が互いに逆方向に駆動されるため、各可動ヘッド６５の境界部分において、頭皮上を摺動する速度が一方の可動ヘッド６５単体の速度と比較して相対的に速くすることができる。このため、頭皮を摺動する速度が速くなり、頭皮の擦り洗浄効果をより高めることができる。
【００８１】
（６）可動施術部６７を頭皮上で滑らせる際に、可動施術部６７の周囲の突起としての圧力抑制部８２が先に頭髪と当接してこの圧力抑制部８２により毛髪の配列を整えることができる。そのため、可動施術部６７が頭皮に到達しやすくなることとなり、より頭皮を洗浄する効率を高めることができる。
【００８２】
尚、本発明の実施の形態は、以下のように変更してもよい。
・上記実施の形態では、回転駆動するモータ３２を利用したが、これに限らず、直線運動を行うリニアモータを用いる構成を採用してもよい。また、直線運動に限らす可動施術部６７を回転運動させる構成を採用してもよい。
【００８３】
・上記実施の形態では、圧力抑制部８２を１０個設ける構成としたが、これに限らない。
・上記実施の形態では、各可動施術部６７ａ〜６７ｄの駆動方向である左右方向Ｘにおいて２つの施術子６７ｅを設ける構成としたが、１つ又は３つ以上設ける構成としてもよい。
【００８４】
・上記実施の形態では、各可動施術部６７ａ〜６７ｄの駆動方向と直交（交差）する方向である前後方向Ｚにおいて４つの施術子６７ｅを設ける構成としたが、１〜３又は５つ以上設ける構成を採用してもよい。
【００８５】
・上記実施の形態では、突起としての圧力抑制部８２を設ける構成としたが、省略した構成を採用してもよい。
・上記実施の形態では、一対の可動ヘッド６５が互いに逆方向に駆動させる構成としたが、位相差を０として同方向に駆動させる構成としてもよい。
【００８６】
・上記実施の形態では、施術子６７ｅはポリアミド系繊維を使用したが、その他の樹脂系材料による線束としてもよい。さらに、施術子６７ｅ樹脂線束に限らず、可塑性部材（ゴム等の弾性材料）を用いてもよい。
【００８７】
・上記実施の形態では圧力抑制部８２はエラストマー系材料を使用したが、その他の可塑性部材（弾性材料）を用いてもよい。
・上記実施の形態では圧力抑制部８２の形状を略円錐台形状としたが、これに限らない図２０に示すように扁平状してもよい。このとき、毛髪を掻き分ける機能を阻害しないために、圧力抑制部８３は枠部８１の長手方向（駆動方向並びに左右方向Ｙ）の両端部に設ける構成とすることが好ましい。
【産業上の利用可能性】
【００８８】
以上のように、本発明にかかる頭皮ケア装置は、可動施術部を頭皮に当接させた状態で滑らせても、可動施術部が毛髪に阻害されるのを抑えて、頭皮に到達させて頭皮を洗浄することが可能となるので、人の頭皮に限らず犬や猫等の皮膚の洗浄等の用途にも適用できる。
【符号の説明】
【００８９】
２０…頭皮ケア装置
３１…駆動部
６５…第１及び第２施術ブロックとしての可動ヘッド
６７，６７ａ〜６７ｄ…可動施術部
６７ｅ…施術子
８２，８３…圧力抑制部（突起）
Ｌ１…離間距離（間隔）
ｔｈ…頭皮。
【図１】
2014108158.tif 000003
【図２】
2014108158.tif 000004
【図３】
2014108158.tif 000005
【図４】
2014108158.tif 000006
【図５】
2014108158.tif 000007
【図６】
2014108158.tif 000008
【図７】
2014108158.tif 000009
【図８】
2014108158.tif 000010
【図９】
2014108158.tif 000011
【図１０】
2014108158.tif 000012
【図１１】
2014108158.tif 000013
【図１２】
2014108158.tif 000014
【図１３】
2014108158.tif 000015
【図１４】
2014108158.tif 000016
【図１５】
2014108158.tif 000017
【図１６】
2014108158.tif 000018
【図１７】
2014108158.tif 000019
【図１８】
2014108158.tif 000020
【図１９】
2014108158.tif 000021
【図２０】
2014108158.tif 000022